(57)【要約】      （修正有）【課題】衣服、寝具及び手袋からなる群から選択されるいずれかのパッキング製品内に充填される備長炭入りダウン構造を提供する。【解決手段】備長炭入りダウン構造は、ダウン本体１０と、ダウン本体に付着している備長炭の炭素粉末微粒子２０と、薄膜層３０とを備え、内から外にダウン本体と、備長炭の炭素粉末微粒子と、薄膜層とが順次積層される。ダウン本体をパッキング製品内に充填して柔軟で快適な使用性を提供し、また、ダウン本体上の備長炭の炭素粉末微粒子により生じる遠赤外線に合わせて、臭いを吸い込んで消臭、電磁波遮断、除湿を達成する効果、及び有害化学物質を吸収できる効果が得られる。そして薄膜層により、ダウン本体は、より強靱で耐洗濯性に優れたものとなり、多用途、多機能及び耐久性の目的を達成できる。【選択図】図２
0003229866.tif 000002
【実用新案登録請求の範囲】
【請求項１】
衣服、寝具及び手袋からなる群から選択されるいずれかのパッキング製品内に充填される備長炭入りダウン構造であって、
前記備長炭入りダウン構造は、複数のダウン本体と、複数の備長炭の炭素粉末微粒子と、薄膜層とを備え、
前記各ダウン本体は、羽軸主体を有し、前記羽軸主体から複数の細糸部が分岐し、
当該ダウン本体の前記羽軸主体及び前記複数の細糸部上に当該備長炭の炭素粉末微粒子が付着しており、
前記薄膜層は、当該備長炭の炭素粉末微粒子を当該ダウン本体の前記羽軸主体及び前記複数の細糸部上に被覆するようにして形成されることを特徴とする、備長炭入りダウン構造。
【請求項２】
前記備長炭入りダウン構造の階層は、内から外に当該ダウン本体と、当該備長炭の炭素粉末微粒子と、前記薄膜層とが順次積層されることを特徴とする、請求項１に記載の備長炭入りダウン構造。
【考案の詳細な説明】
【技術分野】
【０００１】
本考案は、ダウン構造に係り、特に、備長炭入りダウン構造に関するものである。
【背景技術】
【０００２】
一般の天然羽毛は、軽量で保温性に優れた特性を有するので、例えば、ダウンジャケット、羽毛布団やダウン寝袋などの多種項目の製品として加工され、それで使用者の体を覆い被せたり、覆い包んだりすれば、確実な防寒が果たされ、かつ負荷が重く感じることなく、使用者の身体活動に影響を及ぼさない。
【０００３】
而して、天然ダウンは、さらに他の保暖材料では備えていない吸湿発散性が良好な性能を有するばかりでなく、天然ダウンは、人体から排出した汗を吸収して放出し続けることで、身体にべたつき感や蒸し暑さを感じることをなくすことができるが、ダウンの吸湿性は、湿度の高い環境の影響を受けやすく、そのふわふわ感を損ねてしまい、その保暖性能を弱めることになってしまう。
【０００４】
現在、市販されている大部分のものは、天然ダウンに薬剤を直接スプレー塗布または含浸させる形式で機能性のダウン製品を開発して、機能加工処理を行うにしても、耐洗濯性をめったに有しておらず、かつ加工コストが高いため、実用性に欠如している。
【０００５】
界面活性剤系柔軟剤を含有する混合処理浴中において、短繊維及び湿度を有する洗浄後の羽毛を撹拌し、短繊維が羽枝に絡み付くように運用を行う業者があるが、このような処理方式では、混合中の羽毛及び短繊維を高湿度の状態下で加工を行わせることになり、製造工程全体を長引かせ、かつ材料の損耗が生じやすくなる。このようなことから、高湿度の環境によって制限を受け、かつその開示に基づく総加工時間が冗長となってしまい、迅速生産に不利である。
【０００６】
また、羽毛製品の弾性を向上させるために、ヘキサフルオロケイ酸マグネシウムを利用して羽毛に対して表面処理を行う業者もある。水洗乾燥過程において、噴霧方式を利用して前記薬剤を羽毛表面に付着させると共に、固定した適温の温度に合わせて熱風乾燥を行うことで、それを完全に乾燥させて粘着する。
【考案の概要】
【考案が解決しようとする課題】
【０００７】
上記の方法は、処理過程が煩雑であるため、より簡単で便利な加工方法でダウン上の複合処理を施した後に一定の耐水性質を持たせ、かつダウンに通常機能以外の付加機能を持たせることは、今のところ対処すべき関連課題となっている。
【課題を解決するための手段】
【０００８】
本考案に係る備長炭入りダウン構造は、複数のダウン本体と、複数の備長炭の炭素粉末微粒子と、薄膜層とを備え、前記各ダウン本体は、羽軸主体を有し、前記羽軸主体から複数の細糸部が分岐し、ダウン本体の前記羽軸主体及び複数の細糸部上に当該備長炭の炭素粉末微粒子（その備長炭の炭素粉末微粒子は、広葉樹類における最も硬い原木から作製した備長炭を１０００度〜１２００度の温度で精錬し、精錬後、研磨を行って炭素粉末微粒子になる）が付着しており、前記薄膜層は、備長炭の炭素粉末微粒子を前記各ダウン本体の羽軸主体及び複数の細糸部上に被覆するようにして形成される。
その備長炭入りダウン構造の階層は、内から外にダウン本体と、備長炭の炭素粉末微粒子と、薄膜層とが順次積層される。
【０００９】
その備長炭入りダウン構造の加工方法は、混合工程と、スプレー塗布工程と、乾燥工程と、最後に完成品を形成する完成品工程とを含む。その方法は、以下の通りである。
混合工程にて、ダウン本体を密閉空間中に載置した後、備長炭の炭素粉末微粒子を置いてから、人工的または機械的に混合を行うことにより、備長炭の炭素粉末微粒子を当該ダウン本体の羽軸主体及び複数の細糸部上に付着させる。
スプレー塗布工程にて、備長炭の炭素粉末微粒子が付着している各ダウン本体の羽軸主体及び複数の細糸部を別の密閉空間に移動して置き、人工的または機械的に粘着剤のスプレー塗布を行うことにより、粘着剤を介して備長炭の炭素粉末微粒子を当該ダウン本体の羽軸主体及び複数の細糸部上に被覆させる。
それから、乾燥工程にて、人工的または機械的に粘着剤に対して加熱乾燥プロセスを行う。
完成品工程にて、乾燥完了後、備長炭の炭素粉末微粒子が付着している当該ダウン本体の羽軸主体及び複数の細糸部に薄膜層を形成した後、のちに備長炭入りダウン構造が形成される。
【考案の効果】
【００１０】
そこで、本考案の主要な目的は、前記複数のダウン本体をパッキング製品内に充填して使用者に柔軟で快適な使用性を提供し、また、ダウン本体上の備長炭の炭素粉末微粒子により生じる遠赤外線に合わせて、臭いを吸い込んで消臭、電磁波遮断、除湿を達成する効果、及び有害化学物質を吸収できる効果が得られ、上記の効果により、前記備長炭入りダウン構造による多用途及び多機能の目的を達成することができることである。
【００１１】
また、本考案の副次的な目的は、上記の混合工程と、スプレー塗布工程と、乾燥工程と、最後に完成品を形成する完成品工程とを含む簡単で便利な加工方法を採用することにより、備長炭の炭素粉末微粒子を有するダウン本体の羽軸主体及び複数の細糸部に薄膜層を被覆させることで、ダウン本体の羽軸主体及び複数の細糸部は、より強靱で耐洗濯性に優れたものとなり、しかも一定の耐久性機能を備えるように達成することである。
【図面の簡単な説明】
【００１２】
【図１】本考案に係るダウン構造の加工方法を示す流れ図である。
【図２】本考案に係るダウン構造の加工方法を示す斜視図である。
【図３】本考案に係るダウン構造の構造斜視図である。
【図４】本考案に係るダウン構造の一部断面図である。
【考案を実施するための形態】
【００１３】
図１〜図４に示すように、本考案に係る備長炭入りダウン構造は、衣服、寝具及び手袋からなる群から選択されるいずれかのパッキング製品内に充填され、前記備長炭入りダウン構造は、複数のダウン本体１０と、複数の備長炭の炭素粉末微粒子２０と、薄膜層３０とを備え、前記各ダウン本体１０は、羽軸主体１１を有し、前記羽軸主体１１から複数の細糸部１２が分岐し、ダウン本体１０の前記羽軸主体１１及び複数の細糸部１２上に当該備長炭の炭素粉末微粒子２０（その備長炭の炭素粉末微粒子２０は、広葉樹類における最も硬い原木から作製した備長炭を１０００度〜１２００度の温度で精錬し、精錬後、研磨を行って炭素粉末微粒子になる）が付着しており、前記薄膜層３０は、備長炭の炭素粉末微粒子２０を前記各ダウン本体１０の羽軸主体１１及び複数の細糸部１２上に被覆するようにして形成される。
その備長炭入りダウン構造の階層は、内から外にダウン本体１０と、備長炭の炭素粉末微粒子２０と、薄膜層３０とが順次積層される。
【００１４】
その備長炭入りダウン構造の加工方法４０は、混合工程４１と、スプレー塗布工程４２と、乾燥工程４３と、最後に完成品を形成する完成品工程４４とを含む。その備長炭入りダウン構造の加工方法４０は、以下の工程４１〜４４を含む。
混合工程４１にて、複数のダウン本体１０を密閉空間中に載置した後、備長炭の炭素粉末微粒子２０を置いてから、人工的または機械的に混合を行うことにより、備長炭の炭素粉末微粒子２０を前記各ダウン本体１０の羽軸主体１１及び複数の細糸部１２上に付着させる。
スプレー塗布工程４２にて、備長炭の炭素粉末微粒子２０が付着している複数のダウン本体１０の羽軸主体１１及び複数の細糸部１２を別の密閉空間に移動して置いてから、人工的または機械的に粘着剤のスプレー塗布を行うことにより、粘着剤を介して備長炭の炭素粉末微粒子２０を当該ダウン本体１０の羽軸主体１１及び複数の細糸部１２上に被覆させる。
乾燥工程４３にて、人工的または機械的に粘着剤に対して加熱乾燥プロセスを行うことにより、備長炭の炭素粉末微粒子２０は、粘着剤で前記各ダウン本体１０の羽軸主体１１及び複数の細糸部１２上に被覆される。
完成品工程４４にて、乾燥完了後、備長炭の炭素粉末微粒子２０が付着している前記各ダウン本体１０の羽軸主体１１及び複数の細糸部１２に薄膜層３０を形成した後、のちに備長炭入りダウン構造が形成される。
【００１５】
上記の具体的な実施例の構造によれば、下記の効益が得られる。
【００１６】
１．本考案の備長炭入りダウン構造は、前記複数のダウン本体１０をパッキング製品内に充填して使用者に柔軟で快適な使用性を提供し、また、ダウン本体１０上の備長炭の炭素粉末微粒子２０により生じる遠赤外線に合わせて、臭いを吸い込んで消臭、電磁波遮断、除湿を達成する効果、及び有害化学物質を吸収できる効果が得られ、上記の効果により、前記備長炭入りダウン構造による多用途及び多機能の目的を達成することができる。
【００１７】
２．本考案の備長炭入りダウン構造は、それらの上記の混合工程４１と、スプレー塗布工程４２と、乾燥工程４３と、最後に完成品を形成する完成品工程４４とを含む簡単で便利な加工方法４０を採用することにより、備長炭の炭素粉末微粒子２０を有する各ダウン本体１０の羽軸主体１１及び複数の細糸部１２に薄膜層３０を被覆させることで、各ダウン本体１０の羽軸主体１１及び複数の細糸部１２は、より強靱で耐洗濯性に優れたものとなり、しかも一定の耐久性機能を備えるように達成する。
【符号の説明】
【００１８】
１０                ダウン本体
１１                羽軸主体
１２                細糸部
２０                備長炭の炭素粉末微粒子
３０                薄膜層
４０                加工方法
４１                混合工程
４２                スプレー塗布工程
４３                乾燥工程
４４                完成品工程
【図１】
0003229866.tif 000003
【図２】
0003229866.tif 000004
【図３】
0003229866.tif 000005
【図４】
0003229866.tif 000006